(57)【要約】  本開示は、アンテナモジュール及び電子機器に関し、前記アンテナモジュールは、アンテナ受信端と電荷放出端とを含む。アンテナモジュールのアンテナ受信端のクリアランス領域側に電荷放出端を設け、アンテナ受信端の導電性領域に電荷導出部材を設け、電荷放出端の導電性領域に電荷還流部材を設けることによって、電荷導出部材の第１の頂角と電荷還流部材の第２の頂角との間の距離が、予め設定された距離以下にすることによって、アンテナ受信端とクリアランス領域に蓄積された静電荷が、第１の頂角と第２の頂角との間のアーク放電によって放出される。上記の構造は設置が簡単であり、アンテナモジュール全体の構造と機能に対する干渉を低減し、アンテナモジュール及び電子機器の静電気の安全性能をさらに向上させる。  【選択図】図１
2021516874.tif 000002
【特許請求の範囲】
【請求項１】
アンテナモジュールであって、
アンテナ受信端と、電荷放出端と、を含み、
前記アンテナ受信端と電荷放出端との間にクリアランス領域が設けられ、
前記アンテナ受信端の導電性領域に電荷導出部材が設けられ、前記電荷導出部材は、前記電荷放出端に向かって延在し、前記電荷放出端に近接する第１の頂角を形成し、
前記電荷放出端の導電性領域に前記電荷導出部材と一対一に対応する電荷還流部材が設けられ、前記電荷還流部材は、前記アンテナ受信端に向かって延在し、前記アンテナ受信端に近接する第２の頂角を形成し、
静電荷が前記第１の頂角と第２の頂角との間にアーク放電を形成するように、前記第１の頂角と第２の頂角との間の距離は、予め設定された距離以下である、
ことを特徴とするアンテナモジュール。
【請求項２】
前記電荷導出部材は、二つであり、且つ前記アンテナ受信端の導電性領域の対向する両側にそれぞれ設けられる、
ことを特徴とする請求項１に記載のアンテナモジュール。
【請求項３】
前記電荷導出部材は、複数であり、且つ前記アンテナ受信端の導電性領域に均等に分布される、
ことを特徴とする請求項１に記載のアンテナモジュール。
【請求項４】
前記予め設定された距離は、１．２ミリメートル以下である、
ことを特徴とする請求項１に記載のアンテナモジュール。
【請求項５】
前記電荷導出部材と電荷還流部材の材質は、金属を含む、
ことを特徴とする請求項１に記載のアンテナモジュール。
【請求項６】
前記電荷導出部材と電荷還流部材との断面形状は、鋸歯状を含む、
ことを特徴とする請求項１に記載のアンテナモジュール。
【請求項７】
前記第１の頂角と第２の頂角との材質は、金を含む、
ことを特徴とする請求項１に記載のアンテナモジュール。
【請求項８】
前記アンテナモジュールは、絶縁遮断部材をさらに含み、
前記絶縁遮断部材は、前記アンテナ受信端と電荷放出端との間に位置し、且つ前記アンテナ受信端と電荷放出端のうちの一つに取り付けられる、
ことを特徴とする請求項１に記載のアンテナモジュール。
【請求項９】
前記絶縁遮断部材は、前記アンテナ受信端又は前記電荷放出端の辺縁領域に取り付けられる、
ことを特徴とする請求項８に記載のアンテナモジュール。
【請求項１０】
電子機器であって、
機器本体と、請求項１〜９のいずれかに記載のアンテナモジュールとを含み、前記アンテナモジュールは、前記機器本体に取り付けられる、
ことを特徴とする電子機器。
【請求項１１】
前記機器本体は、積み重ねられるように設けられ、且つスライド接続された第１の本体と第２の本体とを含み、前記アンテナ受信端は、第１の本体に設けられ、前記電荷放出端は、前記第２の本体に設けられ、且つ前記アンテナ受信端と位置が対応することにより、前記第１の頂角と前記第２の頂角との間の距離が常に予め設定された距離以下になる、
ことを特徴とする請求項１０に記載の電子機器。
【請求項１２】
前記第１の本体は、前記第１の本体の正面を覆うスクリーンアセンブリを含み、前記第２の本体は、ミドルフレームを含み、前記アンテナ受信端は、前記第１の本体の背面の辺縁領域に取付けられ、前記電荷放出端は、前記ミドルフレームの前記辺縁領域と対応する位置に取り付けられる、
ことを特徴とする請求項１１に記載の電子機器。
【発明の詳細な説明】
【技術分野】
【０００１】
本開示は、電子技術の分野に関し、特に、アンテナモジュール及び電子機器に関する。
【背景技術】
【０００２】
関連技術では、例えば、携帯電話などの電子機器は、アンテナを設置して通信機能を実現する必要があり、アンテナは、電子機器の金属素子から離れるだけではなく、バッテリー、発振器、シールドケース、カメラなどの部品と隔離して、クリアランス領域によってアンテナの全方向通信効果を確保する。
【０００３】
携帯電話などの電子機器は、フルスクリーン時代にスペースの問題によるクリアランス領域の減少のため、アンテナの送受信性能に影響する。しかし、フルスクリーン電子機器のクリアランス領域を単に増大すると、クリアランス領域における静電気が放出されにくいという問題が発生する。
【０００４】
したがって、大きなクリアランス領域アンテナ及び電子機器の静電気安全性を如何に向上させることは、当分野において、注目されている課題となる。
【発明の概要】
【発明が解決しようとする課題】
【０００５】
本開示は、アンテナモジュール及び電子機器のアンテナ性能と静電気安全性を向上させるためのアンテナモジュール及び電子機器を提供する。
【課題を解決するための手段】
【０００６】
本開示の実施例の第１の側面によれば、アンテナモジュールを提供し、前記アンテナモジュールは、アンテナ受信端と電荷放出端とを含み、前記アンテナ受信端と電荷放出端との間にクリアランス領域が設けられ、
前記アンテナ受信端の導電性領域に電荷導出部材が設けられ、前記電荷導出部材は、前記電荷放出端に向かって延在し、前記電荷放出端に近接する第１の頂角を形成し、
前記電荷放出端の導電性領域に前記電荷導出部材と一対一に対応する電荷還流部材が設けられ、前記電荷還流部材は、前記アンテナ受信端に向かって延在し、前記アンテナ受信端に近接する第２の頂角を形成し、
静電荷が第１の頂角と第２の頂角との間にアーク放電を形成するように、前記第１の頂角と第２の頂角との間の距離は、予め設定された距離以下である。
【０００７】
選択可能に、前記電荷導出部材は二つであり、且つ前記アンテナ受信端の導電性領域の対向する両側にそれぞれ設けられる。
【０００８】
選択可能に、前記電荷導出部材は複数であり、且つ前記アンテナ受信端の導電性領域に均等に分布される。
【０００９】
選択可能に、前記予め設定された距離は、１．２ミリメートル以下である。
【００１０】
選択可能に、前記電荷導出部材と電荷還流部材の材質は、金属を含む。
【００１１】
選択可能に、前記電荷導出部材と電荷還流部材との断面形状は、鋸歯状を含む。
【００１２】
選択可能に、前記第１の頂角と第２の頂角との材質は、金を含む。
【００１３】
選択可能に、前記アンテナモジュールは、絶縁遮断部材をさらに含み、前記絶縁遮断部材は、前記アンテナ受信端と電荷放出端との間に位置し、且つ前記アンテナ受信端と電荷放出端のうちの一つに取り付けられる。
【００１４】
選択可能に、前記絶縁遮断部材は、前記アンテナ受信端又は前記電荷放出端の辺縁領域に取り付けられる。
【００１５】
本開示の第２の側面によれば、電子機器を提供し、前記電子機器は、機器本体と、前記アンテナモジュールとを含み、前記アンテナモジュールは、前記機器本体に取り付けられる。
【００１６】
選択可能に、前記機器本体は、積み重ねられるように設けられ、且つスライド接続された第１の本体と第２の本体とを含み、前記アンテナ受信端は、第１の本体に設けられ、前記電荷放出端は、前記第２の本体に設けられ、且つ前記アンテナ受信端と位置が対応することにより、前記第１の頂角と前記第２の頂角との間の距離が常に予め設定された距離以下になる。
【００１７】
選択可能に、前記第１の本体は、前記第１の本体の正面を覆うスクリーンアセンブリを含み、前記第２の本体は、ミドルフレームを含み、前記アンテナ受信端は、前記第１の本体の背面の辺縁領域に取付けられ、前記電荷放出端は、前記ミドルフレームの前記辺縁領域と対応する位置に取り付けられる。
【発明の効果】
【００１８】
本開示の実施例により提供される技術案は、以下の有益な効果を含むことができる。
本開示は、アンテナモジュールのアンテナ受信端のクリアランス領域側に電荷放出端を設け、アンテナ受信端の導電性領域に電荷導出部材を設け、電荷放出端の導電性領域に電荷還流部材を設けることによって、電荷導出部材の第１の頂角と電荷還流部材の第２の頂角との間の距離が、予め設定された距離以下にすることによって、アンテナ受信端とクリアランス領域に蓄積された静電荷が、第１の頂角と第２の頂角との間のアーク放電によって放出される可能である。上記の構造は設置が簡単であり、アンテナモジュール全体の構造と機能に対する干渉を低減し、アンテナモジュール及び電子機器の静電気の安全性能をさらに向上させる。
【００１９】
なお、上記の一般的な説明及び後述した詳細な説明は、例示的、且つ解釈的なものであり、本開示を限定するものではないと理解すべきである。
【図面の簡単な説明】
【００２０】
ここの図面は、本明細書に組み込まれて本明細書の一部を構成し、本開示に適用される実施例を示しており、本明細書と共に本開示の原理を説明する。
【００２１】
【図１】本開示の一つの例示的な実施例におけるアンテナモジュールの断面構造の概略図である。
【図２】本開示の他の例示的な実施例におけるアンテナモジュールの断面構造の概略図である。
【図３】本開示のもう一つの例示的な実施例におけるアンテナモジュールの断面構造の概略図である。
【図４】本開示の一つの例示的な実施例における電子機器の断面構造の概略図である。
【図５】本開示の一つの例示的な実施例における電子機器の使用状態での概略構成図である。
【図６】本開示の一つの例示的な実施例における電子機器の他の使用状態での概略構成図である。
【発明を実施するための形態】
【００２２】
ここで、図面に示されている例示的な実施例を詳しく説明する。以下の説明は、図面に係る場合に、他の表示がない限り、異なる図面における同一の数字は、同一又は類似の要素を表す。以下の例示的な実施例に記載されている実施形態は、本発明と一致する全ての実施形態を表すものではない。逆に、それらは、添付の特許請求の範囲に詳しく記載された本発明の一部と一致する装置及び方法の例示だけである。
【００２３】
関連技術では、例えば、携帯電話などの電子機器は、通信機能を実現するためにアンテナモジュールを設置する必要があり、アンテナモジュールは、電子機器における金属素子から離れるだけでなく、バッテリー、発振器、シールドケース、カメラなどの部品と隔離する必要があり、クリアランスの領域によってアンテナモジュールの全方向通信効果を保証し、上記のクリアランスの領域は、クリアランス領域と呼ばれる。
【００２４】
フルスクリーン電子機器のスクリーンアセンブリは、アンテナモジュールの組み立てスペースに大きな干渉を引き起こし、上記の組み立てスペースの干渉に対してクリアランス領域を減小及び増大させるといった二つの手段がある。クリアランス領域を減小させると、電子機器内部の金属又は他の部品の信号の干渉によって、アンテナの送受信性能が直接に影響を受ける。又は、電子機器の使用中には多くの内部又は外部電荷接触が存在するため、フルスクリーン電子機器のクリアランス領域を単純に増大させると、クリアランス領域の静電気が放出されにくくなり、同様にアンテナの送受信性能が影響を受けることになり、ユーザの手が上記静電気の電荷さえも感知することになり、ユーザの体験を低下させる。
【００２５】
例えば、フルスクリーン携帯電話の画面占有率１００％の実現手段は、
スライド型フルスクリーン携帯電話であり、携帯電話を、スライド接続される上部スライドカバーと下部スライドカバーの二つの部分に分け、スクリーンアセンブリは、上部スライドカバーを覆い、カメラアセンブリなどの機能アセンブリは、下部スライドカバーに設けられ、使用する必要がある時に下部スライドカバーをスライドさせて対応する機能を達成する。上記の構造に対して、上部スライドカバーに位置するアンテナモジュールは、上部スライドカバースライドと下部スライドカバーとのスライドの瞬間に上部スライドカバーのアンテナクリアランス領域の静電気が放出されることを確保できなく、静電気の蓄積は、アンテナ信号の品質に重大な影響を与え、又はユーザの手の静電誘導を引き起こす。
【００２６】
図１は、本開示の一つの例示的な実施例におけるアンテナモジュールの断面構造の概略図である。図１に示すように、前記アンテナモジュール１は、アンテナ受信端１１と電荷放出端１２とを含み、前記アンテナ受信端１１と電荷放出端１２との間にクリアランス領域１３が設けられる。アンテナ受信端１１の導電性領域に電荷導出部材１１１が設けられ、電荷導出部材１１１は、電荷放出端１２に向かって延在し、電荷放出端１２に近接する第１の頂角１１１１を形成する。電荷放出端１２の導電性領域に電荷導出部材１１１と一対一に対応する電荷還流部材１２１が設けられ、電荷還流部材１２１は、アンテナ受信端１１に向かって延在し、アンテナ受信端１１に近接する第２の頂角１２１１を形成する。前記第１の頂角１１１１と第２の頂角１２１１との間の距離は、予め設定された距離ｄ以下であることによって、静電荷が第１の頂角１１１１と第２の頂角１２１１との間にアーク放電を形成する。
【００２７】
電荷導出部材１１１の第１の頂角１１１１と電荷還流部材１２１の第２の頂角１２１１との間の距離が、予め設定された距離ｄ以下にすることによって、アンテナ受信端１１とクリアランス領域１３に蓄積された静電荷が、第１の頂角１１１１と第２の頂角１２１１との間のアーク放電によって放出されることができる。上記の構造は設置が簡単であり、アンテナモジュール１全体の構造と機能に対する干渉を低減し、アンテナモジュール１の静電気の安全性能も向上させる。
【００２８】
上記の実施例に記載のアンテナモジュール１に対して、前記アンテナモジュール１における電荷導出部材１１１と、電荷還流部材１２１の具体的な構造の設置及びアンテナ受信端１１と電荷放出端との結合関係は、様々な形式であってもよく、以下の実施例で例示的に説明する。
一実施例において、図１に示すように、前記電荷導出部材１１１は、二つを有し、且つアンテナ受信端１１の導電性領域に対向する両側にそれぞれ設けられる。静電気は、通常、クリアランス領域１３に蓄積され、往復に流動するため、アンテナ受信端１１の導電性領域に対向する両側に位置する電荷導出部材１１１は、アンテナ受信端１１の導電性領域の両側に流動した静電荷を導出することができるだけでなく、電荷導出部材１１１がアンテナ受信端１１の他の領域の構造に対する干渉を低減することもでき、スペース利用率を向上させることができる。
【００２９】
別の実施例では、図２に示すように、前記電荷導出部材１１１は、複数であり、且つアンテナ受信端１１の導電性領域に均等に分布される。静電気は、通常、クリアランス領域１３に蓄積され、往復に流動するため、アンテナ受信端１１の導電性領域に均等に分布される電荷導出部材１１１は、当該位置に移動された静電荷を迅速に導出することができ、静電気の導出効率を向上させ、すなわちアンテナモジュール１及び電子機器２の静電気の安全性能を向上させる。
【００３０】
静電荷が多く集積するほど、エネルギーが大きくなり、少なく集積するほど、エネルギーが小さくなるため、第１の頂角１１１１と第２の頂角１２１１との間の距離が大きくなるほど、アーク放電を発生することができるように、多くの電荷を蓄積する必要があり、すなわち上記の蓄積された静電荷は、依然としてクリアランス領域１３で流動するため、安全上懸念される問題となり、無線周波数の受信と送信信号の品質に影響することによって、通信に影響する。逆に、第１の頂角１１１１と第２の頂角１２１１との間の距離が小さくなるほど、集積した少量の電荷をアーク放電によって放出することができ、且つ第１の頂角１１１１と第２の頂角１２１１との間の距離が近いほど、放出の適時性が良い。上記の実施例では、第１の頂角１１１１と第２の頂角１２１１との間の放出効率を向上させ、過剰の静電荷の蓄積を回避するために、第１の頂角１１１１と第２の頂角１２１１との間の予め設定された距離ｄは、１．２ミリメートル以下であってもよい。又は、実際の状況に応じて静電気の放出効率をさらに向上させるために、前記予め設定された距離ｄは、１ミリメートル以下であってもよく、本開示は、予め設定された距離ｄの具体的な値を制限しない。
【００３１】
また、静電気によって、放出過程中に第１の頂角１１１１と第２の頂角１２１１に熱が発生することがあり、前記熱は、第１の頂角１１１１と第２の頂角１２１１の変形と表面不活性化を引き起こす可能性があり、それによって放電経路が影響を受けることがある。したがって、前記第１の頂角１１１１と第２の頂角１２１１の材質は、金であり、それによって第１の頂角１１１１と第２の頂角１２１１の使用寿命を向上させる。又は、前記第１の頂角１１１１と第２の頂角１２１１は、他の耐熱導体材質を選択することもでき、本開示は、これらを限定しない。
【００３２】
上記の実施例では、クリアランス領域１３の静電荷の導出を実現するために、前記電荷導出部材１１１と電荷還流部材１２１の断面形状は、鋸歯状であってもよく、すなわち広いベースとベースから集まって延在し形成される尖角と、を含み、広いベースは、アンテナ受信端１１又は電荷放出端１２との結合を容易になり、尖角構造は、対応する二つの尖角により電荷の蓄積が限界に達する時にアーク放電が発生されやすくなる。又は、前記電荷導出部材１１１と電荷還流部材１２１の断面は、尖角を有する他の不規則な形状であってもよく、本開示は、これらを限定しない。
【００３３】
また、電荷の導出及び構造の信頼性を確保するために、前記電荷導出部材１１１と電荷還流部材１２１の材質は、金属であってもよい。又は、前記電荷導出部材１１１と電荷還流部材１２１は、他の導体材質を選択して使用することもでき、本開示も、これらを限定しない。
【００３４】
上記の実施例では、アンテナモジュール１の作業流れは、アンテナ受信端１１によって通信信号を送受信し、電子機器２のメインボードと通信信号の伝送を実現する。アンテナ受信端１１が電荷放出端１２と直接に接触する場合、通信信号の伝送に干渉を引き起こし、通信信号に関連する機能の実現に影響する可能性がある。したがって、図３に示すように、アンテナモジュール１は、さらに絶縁遮断部材１４を含むことができ、前記絶縁遮断部材１４は、アンテナ受信端１１と電荷放出端１２との間に位置し、且つ前記電荷放出端１２に取付けられ、前記アンテナ受信端１１と電荷放出端１２との直接接触を回避する。又は、絶縁遮断部材１４は、前記アンテナ受信端１１に取付けられ、本開示は、絶縁遮断部材１４の具体的な位置に対して限定しなく、アンテナ受信端１１と電荷放出端１２との直接接触を回避することができればよい。
【００３５】
さらに、前記絶縁遮断部材１４は、前記アンテナ受信端１１又は前記電荷放出端１２の辺縁領域に取付けられ、アンテナ受信端１１又は電荷放出端１２の構造の占有と干渉を低減し、スペース利用効率を向上させる。なお、絶縁遮断部材１４の材質は、プラスチック、ゴムなどの絶縁材質であってもよく、本開示は、これらを限定しない。
【００３６】
なお、本開示に係るアンテナモジュール１は、例えば、フルスクリーン、非フルスクリーン、スライドカバー、折り畳み携帯電話、タブレットコンピュータ、車載端末、医療端末などのフルスクリーン電子機器２のために用いられ、対応する電子機器２におけるアンテナモジュール１に存在する送受信性能と静電気安全問題を解決し、本開示は、これらを限定しない。以下では、アンテナモジュール１がフルスクリーン電子機器２に適用されることを例として、アンテナモジュール１の構造を例示的に説明する。
【００３７】
図４は、本開示の一つの例示的な実施例における電子機器の断面構造の概略図である。図５は、本開示の一つの例示的な実施例における電子機器の使用状態での概略構成図である。図６は、本開示の一つの例示的な実施例における電子機器の他の使用状態での概略構成図である。図４と、図５と、図６に示すように、前記電子機器２は、機器本体と前記アンテナモジュール１とを含み、アンテナモジュール１は、機器本体に取付けられ、電子機器２が対応する通信信号の送受信機能を実現する。
【００３８】
一実施例において、前記機器本体は、積み重ねられるように設けられ、且つスライドに接続された第１の本体２１と第２の本体２２とを含む。前記アンテナモジュール１のアンテナ受信端１１は、第１の本体２１に設けられ、電荷放出端１２は、第２の本体２２に設けられ、且つアンテナ受信端１１と位置が対応することにより、第１の頂角１１１１と第２の頂角１２１１との間の距離が、第１の本体２１と第２の本体２２との相対的なスライドにつれて常に予め設定された距離ｄ以下になる。
【００３９】
第１の本体２１と第２の本体２２とが相対的なスライドを生じる過程中、電荷導出部材１１１と電荷還流部材１２１との間に相互に干渉される接続関係がなく、又は第１の頂角１１１１と第２の頂角１２１１との間の相対的なスライドにおいて予め設定された距離ｄ以下である位置関係を常に保持することを確保することができるため、第１の本体２１におけるクリアランス領域１３に蓄積された静電荷は、第１の頂角１１１１と第２の頂角１２１１との間のアーク放電によって放出されることができ、電荷放出の信頼性と放出効率を向上させるとともに、静電気放出の実現によるアンテナモジュール１の構造と機能の干渉をさらに回避する。したがって、上記の構造設置は、フルスクリーン電子機器２のアンテナモジュール１及びその自体の静電気の安全性能をさらに向上させる。
【００４０】
さらに、前記第１の本体２１は、第１の本体２１の正面を覆うスクリーンアセンブリ２１１を含み、前記第２の本体２２は、ミドルフレーム２２１を含み、アンテナ受信端１１は、第１の本体２１の背面の辺縁領域に取付けられ、電荷放出端１２は、ミドルフレーム２２１の、第１の本体２１の背面の辺縁領域と対応する位置に取り付けられる。したがって、スクリーンアセンブリ２１１が第１の本体２１の正面を覆うフルスクリーン電子機器２については、本開示の前記アンテナモジュール１のアンテナ受信端１１を第１の本体２１の背面の辺縁領域に設置するとともに、電荷放出端１２を第２の本体２２のミドルフレーム２２１に取り付けられることによって、アンテナモジュール１がスクリーンアセンブリ２１１のフルスクリーン効果、及び、例えば、カメラなどの他の機能アセンブリの構造に対する干渉を回避し、アンテナモジュール１が電子機器２の厚さに対する影響をさらに回避する。
【００４１】
電子機器２の第１の本体２１と第２の本体２２とは、図５と、図６の上下方向に相対的なスライドをしてもよいし、左右方向に相対的なスライドをしてもよいし、他の任意の方向に相対的なスライドをしてもよく、本開示は、これらを限定しない。第１の本体２１と第２の本体２２が上下方向に相対的なスライドすることを例として、アンテナ受信端１１は、第１の本体２１の頂部辺縁に設けられることができ、電荷放出端は、対応する第２の本体２２のミドルフレーム２２１の頂部に設けられ、第１の本体２１と第２の本体２２との相対的なスライド過程中に、第１の頂角１１１１と第２の頂角１２１１との距離が常に予め設定された距離ｄ以下になることを確保するとともに、電子機器２の他のスペースの占有と干渉を回避する。
【００４２】
アンテナモジュール１がフルスクリーン電子機器２に適用する場合、前記絶縁遮断部材１４は、第２の本体２２の両側の辺縁に取り付けられることもでき、前記アンテナ受信端１１と電荷放出端１２との直接接触を回避するとともに、アンテナモジュール１自体のスペース占有を回避する。
【００４３】
別の実施例では、機器本体は、さらに、タブレット全体であってもよく、前記電子機器２のスクリーンアセンブリ２１１は、機器本体の正面を覆い、フルスクリーンを形成する。フルスクリーンがアンテナモジュール１の取り付けスペースを占有することによって、アンテナモジュール１のクリアランス領域１３の設置が影響を受けるため、アンテナモジュール１は、スクリーンアセンブリ２１１の下方の機器本体の頂部と、底部と、両側の辺縁領域に取り付けられることができる。電荷導出部材１１１の第１の頂角１１１１と電荷還流部材１２１の第２の頂角１２１１との間の距離が常に予め設定された距離ｄ以下であることによって、クリアランス領域１３に蓄積された静電荷は、第１の頂角１１１１と第２の頂角１２１１との間のアーク放電によって放出される。
【００４４】
一方、前記アンテナモジュール１は、電荷導出部材１１１の第１の頂角１１１１と電荷還流部材１２１の第２の頂角１２１１との間に形成されたアーク放電に依存して静電気放出を実現し、電荷導出部材１１１と電荷還流部材１２１との間には、相互干渉される接続関係が存在しないため、静電気放出の実現によるアンテナモジュール１の構造と機能に対する干渉が回避され、アンテナモジュール１及び電子機器２の静電気の安全性能がさらに向上する。一方、電荷導出部材１１１と電荷還流部材１２１は、いずれもクリアランス領域１３内に延在するため、アンテナモジュール１が電子機器２の厚さ、長さ又は幅方向に設けられていても、いずれも電子機器２の厚さに対する影響を引き起こすことなく、アンテナモジュール１の設置の柔軟性を向上させるとともに、電子機器２内部スペースの配置の最適化に寄与する。
【００４５】
なお、電子機器２に適用されるアンテナモジュール１のアンテナ受信端１１と、電荷放出端１２と、電荷導出部材１１１と、電荷還流部材１２１などの他の構造設置は、先の実施例と同じであり、ここでは詳しく説明しない。
【００４６】
本開示は、アンテナモジュール１のアンテナ受信端１１のクリアランス領域１３側に電荷放出端１２を設け、アンテナ受信端１１の導電性領域に電荷導出部材１１１を設け、電荷放出端１２の導電性領域に電荷還流部材１２１を設けることによって、電荷導出部材１１１の第１の頂角１１１１と電荷還流部材１２１の第２の頂角１２１１との間の距離を、予め設定された距離ｄ以下にし、それによって、アンテナ受信端１１とクリアランス領域１３に蓄積された静電荷が、第１の頂角１１１１と第２の頂角１２１１との間のアーク放電によって放出されることができる。上記の構造は設置が簡単であり、アンテナモジュール１の全体の構造と機能に対する干渉を低減し、アンテナモジュール１と電子機器２の静電気の安全性能をさらに向上させる。
【００４７】
当業者は、明細書を考慮して本明細書に開示された技術案を実施して、本発明の他の実施例を容易に想到する。本願は、本開示の任意の変形、用途又は適宜な変更を含むことを意図しており、これらの変形、用途又は適宜な変更は、本開示の一般的な原理に従うものであるとともに、本開示に開示されていない当技術分野における周知技術又は通常の技術手段を含む。明細書及び実施例は単なる例示的なものとみなされ、本発明の本当の範囲及び趣旨は以下の特許請求の範囲によって示される。
【００４８】
なお、本開示は、以上に既に説明され、図面に示された精確な構成に限定されるものではなく、本発明の範囲から逸脱しない範囲で、様々な修正及び変更をすることができる。本開示の範囲は、添付の特許請求の範囲のみによって限定される。
【図１】
2021516874.tif 000003
【図２】
2021516874.tif 000004
【図３】
2021516874.tif 000005
【図４】
2021516874.tif 000006
【図５】
2021516874.tif 000007
【図６】
2021516874.tif 000008
【国際調査報告】
2021516874.tif 000009
2021516874.tif 000010
2021516874.tif 000011
2021516874.tif 000012